(57)【要約】【課題】  発光指針の光量を確保しつつ、光源の数量を減少させて、スペース効率を良好なものとすることができる計器の照明構造を提供する。【解決手段】  仕切部材１３の隔壁部１４は、隔壁部１４の内側に、指針照明室１５を形成して、指針照明室１５内に、単体の指針用ＬＥＤ８を配置する光源配置部１６が設けられている。  指針用ＬＥＤ８が配置されている光源配置部１６以外の隔壁部１４の一般筒状部１４ａを、回動軸３ａに近接させて、指針照明室１５内の容積を減少させて、照明光の発光指針２までの道程を最短とした。【選択図】  図１
2005257496.tif 000002
【特許請求の範囲】
【請求項１】
文字板の指針開口に、回動可能に挿通される回動軸部を有する発光指針と、前記文字板の裏面側に設けられた文字板用光源及び、前記発光指針を照明する指針用光源とを有して、前記回動軸部の周囲に設けられた隔壁部を有する仕切部材によって、前記文字板用光源と指針用光源との間を隔離させる計器の照明構造であって、
前記仕切部材は、前記隔壁部の内側に、指針照明室を形成して、該指針照明室内に、単体の前記指針用光源を配置する光源配置部を設けると共に、該指針用光源が配置されている光源配置部以外の前記隔壁部を、前記回動軸部に近接させて、前記指針照明室内の容積を減少させたことを特徴とする計器の照明構造。
【請求項２】
前記指針照明室内の水平方向断面積が、下方の断面積よりも、上方の断面積が、徐々に小さくなるように設定されていることを特徴とする請求項１記載の計器の照明構造。
【請求項３】
前記光源配置部の側壁部と、前記光源配置部以外の前記隔壁部の一般筒状部との間を連設するように延設される延設壁部が、内向きに突状のＲ形状を呈するように構成されることを特徴とする請求項１又は２記載の計器の照明構造。
【発明の詳細な説明】
【技術分野】
【０００１】
本発明は、車両用の計器の照明構造に関し、特に、指針用光源の数量を減少させることが出来る計器の照明構造に関するものである。
【背景技術】
【０００２】
従来の計器の文字板照明構造として、図５乃至図７に示すようなものが知られている（例えば、特許文献１等参照）。
【０００３】
まず、構成から説明するとこのような従来の計器の照明構造では、計器としての車両用メータ１が、発光指針２を回動軸３ａを介して回動駆動するムーブメント３を、プリント回路基板４の裏面側に装着させて、構成されている。
【０００４】
このプリント回路基板４の表面側には、樹脂製のロアケース部材５が固着されていて、上面側に設けられる文字板６によって、これらのロアケース部材５及び前記プリント回路基板４が覆われている。
【０００５】
前記文字板６には、円形の指針開口６ａが開口形成されていて、この指針開口６ａに、前記回動軸３ａが回動可能となるように、挿通されている。
【０００６】
この回動軸３ａは、前記発光指針２の指針本体２ａと一体に形成されて、文字板６の表面側から挿通される回動軸部２ｂに、先端が嵌着されて連結されている。
【０００７】
また、前記文字板６の裏面側で、前記プリント回路基板４の表面側には、この文字板６を透過して、裏面側から照明する文字板用光源としての文字板用ＬＥＤ７…が、複数個設けられている。
【０００８】
更に、前記プリント回路基板４の表面側には、前記発光指針２を照明する指針用光源としての指針用ＬＥＤ８，８が、前記回動軸３ａの周囲を囲むように、略等間隔をおいて、３個、設けられている。
【０００９】
そして、前記回動軸３ａの周囲には、前記ロアケース部材５と一体に形成される円筒状の隔壁部１０を有する仕切部材９が設けられている。
【００１０】
このため、この仕切部材９によって、前記文字板用ＬＥＤ７…と、前記指針用ＬＥＤ８…との間が、隔離されている。
【００１１】
次に、この従来の計器の照明構造の作用について説明する。
【００１２】
前記文字板用ＬＥＤ７…を点灯すると、照明光が、前記文字板６の裏面側から入光して、表面側に一部透光される。このため、車室内の乗員に、バックライト照明として視認される。
【００１３】
また、前記指針用ＬＥＤ８を点灯すると、照明光が、前記発光指針２の回動軸部２ｂに沿って、前記指針本体２ａ内に入光して、この指針本体２ａの内部で先端方向に向けて、導かれて、上面側を発光させる。
【００１４】
この際、前記文字板用ＬＥＤ７…と、前記指針用ＬＥＤ８…との間が、前記仕切部材９によって、隔離されているので、前記指針用ＬＥＤ８の照明光が、前記文字板６の裏面側に入光する虞が無く、照明漏れが防止されている。  
【特許文献１】特許３２１１２２９号公報（図１，図２，図３、００１５段落乃至００４６段落）
【発明の開示】
【発明が解決しようとする課題】
【００１５】
しかしながら、このように構成された従来の計器の照明構造では、前記発光指針２の発光光量を確保するため、指針用光源としての指針用ＬＥＤ８，８が、前記回動軸３ａの周囲を囲むように、等間隔をおいて、複数個、設けられている。
【００１６】
このため、指針用ＬＥＤ８の数量が増大して、製造コストが上昇してしまう虞があった。
【００１７】
また、前記円筒状の仕切部材９の隔壁部１０の外径が、指針用ＬＥＤ８，８を前記回動軸３ａの周囲を囲むように、等間隔をおいて、複数個、設けなければならない分、大きくなってしまう。
【００１８】
このため、他の部材を設置するスペースが、減少する等、スペース効率が、良好であるとは、言い難かった。
【００１９】
そこで、本発明は、発光指針の光量を確保しつつ、光源の数量を減少させて、スペース効率を良好なものとすることができる計器の照明構造を提供することを目的としている。
【課題を解決するための手段】
【００２０】
前記目的を達成するために、請求項１の発明は、文字板の指針開口に、回動可能に挿通される回動軸部を有する発光指針と、前記文字板の裏面側に設けられた文字板用光源及び、前記発光指針を照明する指針用光源とを有して、前記回動軸部の周囲に設けられた隔壁部を有する仕切部材によって、前記文字板用光源と指針用光源との間を隔離させる計器の照明構造であって、前記仕切部材は、前記隔壁部の内側に、指針照明室を形成して、該指針照明室内に、単体の前記指針用光源を配置する光源配置部を設けると共に、該指針用光源が配置されている光源配置部以外の前記隔壁部を、前記回動軸部に近接させて、前記指針照明室内の容積を減少させた計器の照明構造を特徴としている。
【００２１】
また、請求項２に記載されたものは、前記指針照明室内の水平方向断面積が、下方の断面積よりも、上方の断面積が、徐々に小さくなるように設定されている請求項１記載の計器の照明構造を特徴としている。
【００２２】
更に、請求項３に記載されたものは、前記光源配置部の側壁部と、前記光源配置部以外の前記隔壁部の一般筒状部との間を連設するように延設される延設壁部が、内向きに突状のＲ形状を呈するように構成される請求項１又は２記載の計器の照明構造を特徴としている。
【発明の効果】
【００２３】
このように構成された請求項１のものは、前記指針照明室内の光源配置部以外の前記隔壁部が、前記回動軸部に近接されて、前記指針照明室内の容積が、減少されている。
【００２４】
このため、前記指針照明室の内側面に反射されて、前記発光指針まで到達する照明光の道程を最小なものとすることが出来る。
【００２５】
従って、照明光は、効率よく反射されて、前記発光指針を照明させるための充分な光量を、単体の前記指針用光源によって確保出来る。
【００２６】
また、前記指針照明室内に、設けられた光源配置部に、前記指針用光源が配置されるので、該光源配置部以外の指針照明室の前記隔壁部と、前記回動軸部との間には、前記指針用光源が、介在しない。
【００２７】
このため、前記回動軸部に、前記隔壁部を近接させて設定出来、前記隔壁部の外形寸法を減少させることが出来る。
【００２８】
従って、他の部材を装着するスペースが増大する等、スペース効率が良好なものとなる。
【００２９】
また、請求項２に記載されたものは、前記指針照明室内の水平方向断面積が、下方の断面積よりも、上方の断面積が、徐々に小さくなるように設定されている。
【００３０】
このため、前記指針用光源から発光された照明光は、前記指針照明室内の上方に向かうに従って、集光されて、該指針照明室の上方の発光指針に入光する。
【００３１】
更に、請求項３に記載のものは、内向きに突状のＲ形状を呈するように構成される延設壁部が、前記光源配置部の側壁部と、前記光源配置部以外の前記隔壁部の一般筒状部との間を連設するように延設されている。
【００３２】
このため、前記光源配置部と、前記隔壁部の一般筒状部との間には、反射を妨げるような角部等が存在せず、略均一な反射を得られることにより、更に、集光効率を良好なものとすることができる。
【発明を実施するための最良の形態】
【００３３】
以下、本発明の最良の実施の形態について図面を参照して説明する。
【００３４】
なお、前記従来例と同一乃至均等な部分については、同一符号を付して説明する。
【００３５】
図１乃至図４は、本実施の形態による計器の照明構造を示している。
【００３６】
まず、構成から説明すると、このような本実施の形態の計器の照明構造では、計器としての車両用メータ１１が、発光指針２を回動軸３ａを介して回動駆動するムーブメント３を、プリント回路基板４の裏面側に装着させて、構成されている。
【００３７】
このプリント回路基板４の表面側には、樹脂製のロアケース部材１２が固着されていて、上面側に設けられる文字板６によって、これらのロアケース部材１２及び前記プリント回路基板４が覆われている。
【００３８】
前記文字板６には、円形の指針開口６ａが開口形成されていて、この指針開口６ａに、前記回動軸３ａが回動可能となるように、挿通されている。
【００３９】
この回動軸３ａは、前記発光指針２の指針本体２ａと一体に形成されて、文字板６の表面側から、この指針開口６ａに挿通される回動軸部２ｂに、先端が嵌着されて連結されることにより、これらの回動軸３ａ及び回動軸部２ｂによって、発光指針２の回動軸部が構成されている。
【００４０】
また、前記文字板６の裏面側で、前記プリント回路基板４の表面側には、この文字板６を透過して、裏面側から照明する文字板用光源としての文字板用ＬＥＤ７…が、複数個設けられている。
【００４１】
更に、前記プリント回路基板４の表面側には、前記発光指針２を照明する指針用光源としての単体の指針用ＬＥＤ８が、前記回動軸３ａからやや離間されて、１個、設けられている。
【００４２】
そして、前記回動軸３ａの周囲には、前記ロアケース部材１２と一体に形成される筒状の隔壁部１４を有する仕切部材１３が設けられている。
【００４３】
この仕切部材１３は、前記文字板用ＬＥＤ７…と、前記指針用ＬＥＤ８…との間が、隔離されるように設けられていて、この仕切部材１３の周囲の前記隔壁部１４の内側に、前記指針用ＬＥＤ８からの照明光を、内側面によって反射させて、前記発光指針２まで導く、指針照明室１５が、形成されている。
【００４４】
この指針照明室１５では、水平方向断面積を、前記プリント回路基板４の表面側から、前記指針開口６ａの周縁部に至るまで、下方の断面積よりも、上方の断面積が、徐々に小さくなるように設定されている。
【００４５】
そして、この指針照明室１５の上端には、指針用ＬＥＤ８の照明光が、文字板６の裏面側方向に漏光しないように、前記指針開口６ａの内側縁に嵌着される環状フランジ部１５ａが形成されている。
【００４６】
この指針照明室１５内には、前記単体の指針用ＬＥＤ８を配置する光源配置部１６が設けられている。
【００４７】
また、指針用ＬＥＤ８が配置されている光源配置部１６以外の前記隔壁部１４の一般筒状部１４ａでは、図４に示すように、内側面１４ｂが、前記回動軸３ａに近接されて設定されていて、前記指針照明室１５内の容積を減少させている。
【００４８】
すなわち、この実施の形態では、前記回動軸３ａから前記指針用ＬＥＤ８までの距離よりも、前記回動軸３ａから前記隔壁部１４の一般筒状部１４ａの内側面１４ｂまでの距離が、短くなるように構成されていて、前記指針用ＬＥＤ８は、内側面１４ｂ位置よりも外側に位置されている。
【００４９】
この指針照明室１５から延設される一般筒状部１４ａの延設部分は、一対の内向きに突状のＲ形状を呈する延設壁部１７ａ，１７ａを、略平行となるまで対向させて形成されるボトルネック部１７によって、前記光源配置部１６の左，右側壁部１６ａ，１６ａと一体に連設されている。
【００５０】
また、この左，右側壁部１６ａ，１６ａ間は、指針用ＬＥＤ８の照明光を、前記回動軸３ａ方向に向けて、集光させるように反射する内側反射面部１６ｃを有する円弧壁部１６ｂによって一体に連結されている。
【００５１】
更に、この仕切部材１３には、前記隔壁部１４の外側面から傘状を呈して、外側方に突設形成される文字板用反射面部１８が、一体に形成されている。
【００５２】
また、このロアケース部材１２の仕切部材１３の下方には、液晶表示パネル部材２０を装着する液晶装着凹部１２ａが、凹設形成されている。
【００５３】
次に、この実施の形態の計器の照明構造の作用について説明する。
【００５４】
この実施の形態の計器の照明構造では、まず、前記文字板用ＬＥＤ７…を点灯すると、図２に示すように、この文字板用ＬＥＤ７…の照明光が、前記仕切部材１３に一体に設けられた文字板用反射面部１８及び前記ロアケース部材１２の内側反射面１２ｂに反射されて、この文字板用ＬＥＤ７…からの直接の照明光と共に、前記文字板６の裏面側から入光する。
【００５５】
このため、前記文字板６の一部の目盛部等を透過したこれらの照明光が、車室内の乗員に、バックライト照明として視認される。
【００５６】
また、前記指針用ＬＥＤ８を点灯すると、この指針用ＬＥＤ８の照明光が、前記発光指針２の回動軸部２ｂに沿って、前記指針本体２ａ内に入光して、この指針本体２ａの内部で先端方向に向けて導かれながら、この指針本体２ａの上面側を発光させる。
【００５７】
この際、前記文字板用ＬＥＤ７…と、前記指針用ＬＥＤ８…との間が、前記仕切部材１３の隔壁部１４によって、隔離されているので、前記指針用ＬＥＤ８の照明光が、前記文字板６の裏面側に入光する虞が無く、照明漏れが防止される。
【００５８】
この実施の形態の計器の照明構造では、前記指針照明室１５内の光源配置部１６以外の前記隔壁部１４が、一般筒状部１４ａとして、前記回動軸３ａに近接されて、前記指針照明室１５内の容積が、減少されている。
【００５９】
このため、前記指針照明室１５の内側面に反射されて、前記発光指針２まで到達する照明光の道程を最小なものとすることが出来る。
【００６０】
従って、照明光は、効率よく反射されて、前記発光指針２を照明させるための充分な光量を、単体の前記指針用ＬＥＤ８によって確保出来る。
【００６１】
また、前記指針照明室１５内に、設けられた光源配置部１６に、前記指針用ＬＥＤ８が配置されるので、光源配置部１６以外の指針照明室１５の前記隔壁部１４の一般筒状部１４ａと、前記回動軸３ａとの間には、前記指針用ＬＥＤ８が、介在しない。
【００６２】
このため、前記回動軸３ａに、前記隔壁部１４の一般筒状部１４ａを近接させて設定出来、前記隔壁部１４の外形寸法を減少させることが出来る。
【００６３】
従って、他の部材を装着するスペースが増大する等、スペース効率が良好なものとなる。
【００６４】
例えば、図２中二点鎖線に示されるように、前記文字板用ＬＥＤ７…を白抜き矢印方向へ向けて、前記一般筒状部１４ａに近接配置させることが出来る。
【００６５】
このため、前記文字板用反射面部１８の下端まで、前記文字板用ＬＥＤ７の有効反射面とすることが出来、反射光量を増大させることができる。
【００６６】
また、前記文字板６の裏面側までの道程を長く設定することができるので、照明ムラを抑制させることができる。
【００６７】
更に、図３に示すように、前記液晶表示パネル部材２０を装着する液晶装着凹部１２ａの形成位置を、前記指針２に近接させて形成することもできる。
【００６８】
従って、コンビネーションメータのレイアウト性が向上する等、計器の設計デザインの自由度を向上させることができる。
【００６９】
また、前記指針照明室１５内の水平方向断面積が、下方の断面積よりも、上方の断面積が、徐々に小さくなるように設定されている。
【００７０】
このため、前記指針用ＬＥＤ８から発光された照明光は、前記指針照明室１５内の上方に向かうに従って、集光されて、この指針照明室１５の上方の発光指針２に入光する。
【００７１】
従って、更に、前記指針用ＬＥＤ８からの照明光を反射させる際に、強めて、発光指針２の輝度を向上させることができる。
【００７２】
更に、この実施の形態では、図４に示すように、内向きに突状のＲ形状を呈するように構成される前記延設壁部１７ａ，１７ａが、前記光源配置部１６の左，右側壁部１６ａ，１６ａと、前記光源配置部１６以外の前記隔壁部１４の一般筒状部１４ａとの間を連設するように延設されている。
【００７３】
このため、前記光源配置部１６と、前記隔壁部１４の一般筒状部１４ａとの間には、反射を妨げるような角部等が存在しない。
【００７４】
従って、前記光源配置部１６の円弧壁部１６ｂの内側反射面部１６ｃによって、前記指針用ＬＥＤ８から照射される回動軸３ａとは、反対向きに照光された照明光も、この回動軸３ａに向けて集光されるように反射される。このような反射された照明光も、回動軸３ａ近傍に到達するまでの道程に、障害物となる角部等が無く、妨げられることがない。
【００７５】
また、この実施の形態では、前記指針用ＬＥＤ８が、前記隔壁部１４の一般筒状部１４ａよりも、外側方に位置する前記光源配置部１６内に配置されている。
【００７６】
このため、前記一般筒状部１４ａの内側面１４ｂによって反射された照明光も、この回動軸３ａに向けて集光される。この際、指針用ＬＥＤ８から、内側面１４ｂまでの道程にも、障害物となる角部等が無く、妨げられることがない。
【００７７】
しかも、このボトルネック部１７の左右一対の前記延設壁部１７ａ，１７ａが、内向きに突状のＲ形状を呈するように構成されているので、広い反射面積で、前記指針用ＬＥＤ８から照射される照明光を一回反射させて、回動軸３ａ近傍を照明出来る。
【００７８】
従って、指針照明室１５の各内側面で、略均一な反射を得られることにより、更に、集光効率を良好なものとすることができる。
【００７９】
以上、図面を参照して、本発明の最良の実施の形態を詳述してきたが、具体的な構成は、この実施の形態に限らず、本発明の要旨を逸脱しない程度の設計的変更は、本発明に含まれる。
【００８０】
例えば、前記実施の形態では、１個の指針用ＬＥＤ８を指針用光源として用いるものを示して説明してきたが、特にこれに限らず、例えば、前記指針照明室１５内に、２つの光源配置部１６，１６を設ける等、指針照明室１５内の各光源配置部１６，１６に、単体の前記指針用光源を配置するものであるならば、各光源配置部１６の形状、数量及び反射面を構成する材質等が、特に限定されるものではない。  
【図面の簡単な説明】
【００８１】
【図１】本発明の最良の実施の形態の計器の照明構造を示し、全体の構成を説明するメータの文字板を外した状態での斜視図である。
【図２】実施の形態の計器の照明構造を示し、構成を説明する図１中Ａ−Ａ線に沿った位置での断面図である。
【図３】実施の形態の計器の照明構造で、実施可能なレイアウトの一例を説明する車両用メータの正面図である。
【図４】実施の形態の計器の照明構造で、図１中Ｂ−Ｂ線に沿った位置での断面図である。
【図５】従来例の計器の照明構造で、メータ装置の一部断面正面図である。
【図６】従来例の計器の照明構造で、メータ装置の文字板と仕切部材との取付を示す斜視図である。
【図７】従来例の計器の照明構造で、全体の構成を説明する縦断面図である。
【符号の説明】
【００８２】
２                              発光指針
６                              文字板
６ａ                            指針開口
回動軸
２ｂ                            回動軸部
３ａ                            回動軸
７                              文字板用ＬＥＤ（文字板用光源）
８                              指針用ＬＥＤ（指針用光源）
１１                            車両用メータ
１２                            ロアケース部材
１３                            仕切部材
１４                            隔壁部
１４ａ                          一般筒状部
１５                            指針照明室
１６                            光源配置部
１７ａ，１７ａ                  延設壁部
【図１】
2005257496.tif 000003
【図２】
2005257496.tif 000004
【図３】
2005257496.tif 000005
【図４】
2005257496.tif 000006
【図５】
2005257496.tif 000007
【図６】
2005257496.tif 000008
【図７】
2005257496.tif 000009